(57)【要約】      （修正有）【課題】少なくとも連続する２面が並び順に表示でき、各面の紛失の恐れがなく、長い帯状のシートを要さず、連続面が効率的に表示できるカレンダー等の折りたたみ式表示体を提供する。【解決手段】折線を介して４行２列に分割された８面で構成される１枚のシートからなり、１枚のシートには、表裏１６面のうち、ｎ面（ｎは２以上）に、各面が分担する図等が施され、１列目と２列目の境界線に、連続する３行分の切り込みが施される。また、８枚のパネルと折り曲げ部材とからなり、８枚のパネルには、表裏１６面のうち、ｎ面に、各面が分担する図等が施され、４行２列に並べられ、列方向に各４枚が折り曲げ部材を介して連結され、１行目の２枚または４行目の２枚のいずれかが、折り曲げ部材を介して行方向に連結される。好ましくはｎ面を１２面以上に設定し、各面を１カ月毎のカレンダー表示とする。【選択図】図１
2019181695.tif 000002
【特許請求の範囲】
【請求項１】
図表、絵柄、写真、文字または記号等を、一続きに並べたｎ面（ｎは２以上１４以下の整数）で表現されうるときの、該ｎ面のうち、
少なくとも連続する２面が並び順に表示できる折りたたみ式表示体であって、
折線を介して４行２列に分割された８面で構成される１枚のシートからなり、
前記１枚のシートには、
表裏１６面のうち、ｎ面に、
各面が分担する図表、絵柄、写真、文字または記号等が施され、
１列目と２列目の境界線に、連続する３行分の切り込みが施されたことを特徴とする折りたたみ式表示体。
【請求項２】
図表、絵柄、写真、文字または記号等を、一続きに並べたｎ面（ｎは２以上１４以下の整数）で表現されうるときの、該ｎ面のうち、
少なくとも連続する２面が並び順に表示できる折りたたみ式表示体であって、
８枚のパネルと折り曲げ部材とからなり、
前記８枚のパネルには、
表裏１６面のうち、ｎ面に、
各面が分担する図表、絵柄、写真、文字または記号等が施され、
該８枚のパネルは４行２列に並べられ、
列方向に各４枚が折り曲げ部材を介して連結され、
１行目の２枚または４行目の２枚のいずれかが、折り曲げ部材を介して行方向に連結されたことを特徴とする折りたたみ式表示体。
【請求項３】
前記ｎ面が、１２面以上１４面以下に設定され、
前記各面が分担する図表、絵柄、写真、文字または記号等が、１カ月毎のカレンダー表示であることを特徴とする請求項１または請求項２に記載の折りたたみ式表示体。
【請求項４】
前記すべての列を行に替えるとともに、前記すべての行を列に替えた請求項１から請求項３のいずれかに記載の折りたたみ式表示体。
【発明の詳細な説明】
【技術分野】
【０００１】
本発明は、連続２面以上を並び順に表示するカレンダー等の折りたたみ式表示体に関する。
【背景技術】
【０００２】
年表、絵巻、パノラマ写真など、一続きに長い帯状の情報は、適当に分割して、かつ連続で見ることができると便利である。こうした類のもののなかで代表的なものがカレンダーであり、複数月を表示するカレンダーは根強く求められている。しかし、２カ月分や３ケ月分の暦を１枚に印刷して束ねたものでは、常には翌月や前月の暦を表示することはできない。それは１２ヶ月を分割して表示しているのであって、連続して表示しているわけではないからである。そこで、複数月が連続して表示できるカレンダーは、各種提案されている。
【０００３】
予め２、３カ月毎に表示したカレンダーシートを束ね、過ぎた月の分だけ切り取ることで後の月の表示が現れ、連続月分の表示を可能にした切り取り式のもの、月毎に表示したカードを順に専用の装置に取り付け、月が替わるたびに取り付け替えて複数月表示させるカード取り替え式のもの、帯状の長いカレンダー用紙を適宜折りたたんで複数月を表示させるものなどが代表的である。
【先行技術文献】
【特許文献】
【０００４】
【特許文献１】特開２００９−２９８１３１号公報
【特許文献２】特開２０１６−１２４１６９号公報
【発明の概要】
【発明が解決しようとする課題】
【０００５】
しかし、切り取り式は常に時系列に表示することができないという問題があった。例えば２カ月表示の場合、「１月＋２月」表示の次は「３月＋２月」表示となり、並び順が変わるため見づらさがあった。また、過ぎた月の分を切り取ってしまうため、保存に適しておらず、メモを加えていたりすると後で見直したくても見直せないという問題もあった。カード取り替え式は時系列に並べて表示することができるが、カードが束ねられていないため使用中に一部のカードを紛失する恐れがあり、また、使用後の保管も全カードを紛失しないよう注意を要する。折りたたみ式の特許文献１、２は、各月が時系列に表示可能であり、帯状に連なっているため紛失の恐れがなく、使用後の保管にも適しているが、特許文献１は長い帯状の用紙を要し、一月分の表示サイズの割には大きな用紙が必要であるため、製造面で効率が悪くコストアップに繋がる。特許文献２は１０枚以上のシートが帯状に連結されるため、各面や裏面を確認するにも視野に収まらず、長すぎて扱いづらい。
【０００６】
そこで本発明は、図表、絵柄、写真、文字または記号等を、一続きに並べたｎ面（ｎは２以上１４以下の整数）で表現されうるときの、該ｎ面のうち、少なくとも連続する２面が並び順に表示でき、各面の紛失の恐れがなく、長い帯状のシートを要さず、連続面が効率的に表示できるカレンダー等の折りたたみ式表示体の提供を目的とする。
【課題を解決するための手段】
【０００７】
上記課題を解決するため、本発明の折りたたみ式表示体は、図表、絵柄、写真、文字または記号等を、一続きに並べたｎ面（ｎは２以上１４以下の整数）で表現されうるときの、ｎ面のうち、少なくとも連続する２面が並び順に表示できる折りたたみ式表示体であって、折線を介して４行２列に分割された８面で構成される１枚のシートからなり、前記１枚のシートには、表裏１６面のうち、ｎ面に、各面が分担する図表、絵柄、写真、文字または記号等が施され、１列目と２列目の境界線に、連続する３行分の切り込みが施される。
【０００８】
連続２面以上を表示するのであるから、ｎの最小値は２であり、連続する２面が並び順に表示できるｎの最大値は構造上１４である。
このような構成とすると、少なくとも連続する２面を並び順に表示することができ、各面が折線を介して繋がっているため紛失の恐れがない。折線の方向が行、列２種あるため、帯状の用紙を要さずとも、連続面を効率的に表示することができる。
【０００９】
また、本発明の折りたたみ式表示体は、図表、絵柄、写真、文字または記号等を、一続きに並べたｎ面（ｎは２以上１４以下の整数）で表現されうるときの、ｎ面のうち、少なくとも連続する２面が並び順に表示できる折りたたみ式表示体であって、８枚のパネルと折り曲げ部材とからなり、８枚のパネルには、表裏１６面のうち、ｎ面に、各面が分担する図表、絵柄、写真、文字または記号等が施され、８枚のパネルは４行２列に並べられ、列方向に各４枚が折り曲げ部材を介して連結され、１行目の２枚または４行目の２枚のいずれかが、折り曲げ部材を介して行方向に連結される。
【００１０】
このような構成とすると、少なくとも連続する２面を同時かつ並び順に表示することができ、各パネルが折り曲げ部材を介して繋がっているため紛失の恐れがない。折り曲げ方向を行、列２種にすることで、帯状に形成せずとも、限られたパネル数で効率的に連続面を表示することができるうえ、折りたたみ前は視野に収まる形状になり、帯状に形成されたものより、各面の確認や扱いが容易になる。
【００１１】
好ましくは、ｎ面を１２面以上１４面以下に設定し、各面を１カ月毎のカレンダー表示とする。
【００１２】
このような構成とすると、少なくとも連続する２カ月が並び順に表示できるカレンダーとなる。
【００１３】
また、好ましくは、前記すべての列を行に替えるとともに、前記すべての行を列に替える。
【００１４】
このような構成とすると、縦方向にも横方向にも利用できる表示体となる。
【発明の効果】
【００１５】
本発明によれば、図表、絵柄、写真、文字または記号等を、一続きに並べたｎ面（ｎは２以上１４以下の整数）で表現されうるときの、該ｎ面のうち、少なくとも連続する２面を並び順に表示することができる。各面が折線や折り曲げ部材を介して繋がっているため紛失の恐れがなく、メモ等記入しても後で確認することができる。折りたたみ式であるため、あらかじめ最小に折りたたんだ状態で運搬、陳列、保管ができ省スペースである。また、折線または折り曲げの方向が２種あるため、帯状の用紙を要さず、帯状に形成せずとも、限られた面およびパネルで効率的に連続面を表示できるうえ、折りたたみ前は視野に収まる形状になり、帯状のものより、各面の確認や扱いが容易になる。
連続する１２面以上１４面以下のもので代表的なものはカレンダーであり、本発明は複数月を連続表示するカレンダー、スケジュール表への利用に特に効果を発揮する。
【図面の簡単な説明】
【００１６】
【図１】本発明の第１実施形態に係るｎが１２のときの、連続３面表示が可能なレイアウトを示した図である。
【図２】図１の折りたたみ順（前半）の例を示した図である。
【図３】図１の折りたたみ順（後半）の例を示した図である。
【図４】本発明の第２実施形態に係る表面及び裏面のレイアウトを示した図である。
【図５】本発明の第２実施形態に係るパネルと折り曲げ部材の連結例を示した図である。
【図６】本発明の第２実施形態に係るパネルと折り曲げ部材の連結例を示した図である。
【図７】本発明の第２実施形態に係るパネルの例を示した図である。
【図８】本発明の第１実施形態に係るｎが１４のときの、連続２面表示が可能なレイアウトを示した図である。
【図９】図８の折りたたみ順（前半）の例を示した図である。
【図１０】図８の折りたたみ順（後半）の例を示した図である。
【発明を実施するための形態】
【００１７】
この明細書での「列」、「行」の定義については、縦を列、横を行とするが、本発明の表示体をどの向きから見るか、見る人の主観によって縦、横は変わるため、「列」「行」を入れ替え可能とするものである。よって「列」と「行」を入れ替えても本発明に何ら支障はない。なお、一般にシート等の長手方向の向きで縦横を決めることがあるが、本明細書での「列」、「行」は、シート等の長手方向とは何ら関係しないものである。
以下、本発明の実施の形態について図面を参照して説明する。
【００１８】
本発明の第１実施形態に係る折りたたみ表示体１は、折線２を介して４行２列に分割された８面で構成される１枚のシートからなり、１枚のシートの表裏１６面のうち、ｎ面（ｎは２以上１４以下の整数）に、各面が分担する図表、絵柄、写真、文字または記号等が施され、１列目と２列目の境界線に、連続する３行分の切り込み３が施される。
【００１９】
図１はｎを１２に設定し、少なくとも連続３面以上を並び順に表示させることができるレイアウト例であり、上から下へ連続表示させる例を示している。連続３面とは、図表、絵柄、写真、文字または記号等（以下図等）を、一続きに並べた１２面で表現されうるとき、１番目の面を１、２番目の面を２・・・とすると、「１、２、３」「２、３、４」「３、４、５」「４、５、６」「５、６、７」「６、７、８」「７、８、９」「８、９、１０」「９、１０、１１」「１０、１１、１２」の組み合わせのすべてを、括弧内の順番は変えずに、表示できるという意味であり、連続３面以上とはその組み合わせを含んでそれ以上の連続面も表示できるという意味である。したがって、連続３面以上表示可能であるということは、同じレイアウトで連続２面の表示が可能であるのは言うまでもなく、図１に示すレイアウト例は本発明の課題が解決していることを示す。この実施形態を図１の配置で各面を月毎のカレンダー表示とした場合、連続３カ月表示のカレンダーが得られる。
【００２０】
図１中の各面に記す数字は、図等が施された各面を順に並べたときの順番を示す番号であり、数字の向きは施されるべき図等の天地を示している。例えば１月から始まるカレンダーの場合、１は１月、２は２月、３は３月・・・の面が数字の向きどおりに配置される。
【００２１】
図１に示すとおり、切り込み部３は３行目と４行目の境界線が切り込み止まり４となるが、行、列の折線２が交差し、使用状態によっては傷みやすいため、この部位を補強部５とし、樹脂製シールなどの補強部材６を用いて補強するのが好ましい。
【００２２】
折線２は単純に折り目でも良いが、シートの材質、厚みにより、折り易くするためのミシン目を施しても良いし、点線拡大図のように複数の穴を設けても良い。このときの穴の数、大きさ形状は特に限定されない。また、折線は単線である必要はなく、山折り及び谷折りを考慮して、複数の折線を施しても良い。
【００２３】
表示の際には画鋲留め、マグネット留め、クリップ留め、テープ留めなど、使用者が通常の手段によって折りたたみ表示を実施すれば良いが、あらかじめ、シートの端部を挿し込んで留めるための切り欠きを設けたり、小さな磁石をつけるなど適宜端部を固定する手段を設けても良い。また、シートの端縁部や切り込み部などを装飾的な形状にしても本発明に含まれるものである。
【００２４】
図２及び図３は図１に示した第１実施形態に係る折りたたみ表示体１の折りたたみ順の例を示した図である。
Ａから始まり、Ｂ、Ｃ、Ｄ、Ｅ、Ｆ、Ｇの順で表示していく。少なくとも連続する３面（２面）が並び順に表示できるだけでなく、最大で連続する６面の表示（Ｃ）が可能である。常に３面（２面）のみ表示させたい場合は、表示したくない面を折りたたんで使用する。
【００２５】
図１、図２及び図３の第１実施形態に係る折りたたみ表示体１のシートの材質は、紙製または合成樹脂製が好ましいが、折りたたみが可能な材質であれば他の材質であっても構わない。シートの大きさは用途に応じて様々で良い。各面の大きさはそれぞれ略同じ大きさであるが、折りたたみにより生ずるズレ等の誤差を考慮してサイズ設定しても良い。
【００２６】
図２Ｃが示すように、本発明はその構造により、最大で連続する６面の表示が可能になるため、パノラマ表示や、絵巻、屏風絵、絵本、年表、スケジュール表等の表示に適している。
【００２７】
製造面では、出来上がりのサイズから換算して帯状のものより３分の２の長さのシートで製造可能であり、本発明の形状から、該シートは規格サイズにそのまま従っても、各面のサイズが適当に得られ、無駄がないため、極めて容易かつ効率的に安価に製造し得る。これにより、少量でもサイズ、種類が豊富に製造でき、オーダーメイド化も容易である。
さらに図２及び図３が示すように、次に続く面を出現させるのに、使用者にはパズルを解くような楽しみをもたらす。この効果により、パズルや迷路などに利用可能となる。
【００２８】
図４は本発明の第２実施形態に係る表面及び裏面を示した図である。
本発明の第２実施形態にかかる折りたたみ表示体７は、８枚のパネル８と折り曲げ部材９とからなり、８枚のパネル８の表裏１６面のうち、ｎ面（ｎは２以上１４以下の整数）に、各面が分担する図表、絵柄、写真、文字または記号等が施され、８枚のパネル８は４行２列に並べられ、列方向に各４枚が折り曲げ部材９を介して連結され、１行目の２枚または４行目の２枚のいずれかが、折り曲げ部材９を介して行方向に連結される。
【００２９】
図４は、ｎを１２に設定し、連続３面（２面）以上を同時に連続表示させることができるレイアウトの例であり、図に向かって右から左へ連続表示させる例を示している。
折り曲げ部材を介することで、折り曲げが確実になり、これによりパネル部材の選択の幅が広がる。
パネル８は、紙、合成樹脂、木、金属、ゴム、布等薄い平面状であって、図等が表示できるものであれば特に限定されず、薄型電子表示板とすることも可能である。１枚のパネル８の大きさは特に限定されないが、厚紙以上の厚さと硬さのパネルであれば、屏風状や角柱状にして、自立表示も可能である。
【００３０】
折り曲げ部材９は、紙、合成樹脂シート及びテープ、紐、糸、布、プラスチック及び金属リング、ヒンジなど、折り曲げを容易にするものであれば、その形状、材質、大きさは特に限定されない。
【００３１】
図５、図６は本発明の第２実施形態に係るパネルと折り曲げ部材の連結例を示した図である。
パネル８と折り曲げ部材９の連結方法は、折り曲げ可能に連結されていればよく、特に限定されない。
図５のように、２枚１組で１枚のパネル８とし、折り曲げ可能な折り曲げ部材９を２枚の間に挟み込んで貼り合わせ、成形しても良い。
【００３２】
図６上図のようにシート状の折り曲げ部材にパネルを貼り付けて成形しても良いし、図６下図のようにシート状の折り曲げ部材の表裏にパネルを交互に貼り付けて成形しても良い。さらに、シート状の折り曲げ部材にポケットを設け、８枚のパネルを挿入して形成しても良い（図は省略）。いずれの場合も折り曲げ部材に図等を施してパネルと一体化するか、折り曲げ部材の少なくともパネル部を透明にすると良く、本発明に含まれるものである。
【００３３】
図７は、本発明の第２実施形態に係る表面及び裏面を示した図である。折り曲げ部材９を介することで、折り曲げが確実になるため、各パネル８の大きさや形は４行２列に並べられる程度に揃っていればよく、デザインの自由度を向上させることができる。図７のように、夫々個性的な形状のパネルにし、折りたたみ方を考える玩具としても有用である。また、パネルと折り曲げ材を脱着可能にして、パネルの配置を変えられるようにしても本発明に含まれるものである。
【００３４】
図８は本発明の第１実施形態に係るｎが最大値の１４のときの、連続２面表示が可能なレイアウトを示した図である。
左から右へ連続表示させるレイアウトであり、図９及び図１０は図８の折りたたみ順の例を示した図である。Ｈから始まり、Ｉ、Ｊ、Ｋ、Ｌ、Ｍ、Ｎの順で表示していく。連続２面表示とは、前述と同様、「１、２」「２、３」「３、４」「４、５」「５、６」「６、７」「７、８」「８、９」「９、１０」「１０、１１」「１１、１２」「１２、１３」「１３、１４」の面の組み合わせのすべてを、括弧内の順番は変えずに、表示できるという意味であり、連続２面以上とはその組み合わせを含んでそれ以上の連続面も表示できるという意味である。
【００３５】
図８によると、全ての連続する２面以上が同時に表示可能であって、しかも図１０（Ｎ）に示すとおり、「１４、１」も表示できる。
つまり、本発明は、最終面と最初の面を並び順に表示することも可能である。具体的には、連続２面以上を同時に表示する場合であって、ｎが４以上１４以下の偶数の場合、環状に表示できる。例えば卵から鶏への成長図や、季節の移り変わりなど環状に連続するものの表示に利用できる。
【００３６】
本発明の表示体は、各面及び各パネルのレイアウトにより、左から右、右から左、上から下、下から上へ、のいずれの方向へ表示することも可能である。また図１、図４、図７及び図８に示した各面及び各パネルのレイアウトは一例を示したに過ぎず、これ以外のレイアウトであっても、本発明に含まれるものである。
【００３７】
図８に示す実施形態では、表裏１６面のうち最大値である１４面に図等が施されるが、残り２面が自由面１０になるため、これを表紙と裏表紙などに充てることができる。これらを設けると、持ち歩きや使用後の保管に便利である。また、ｎが１３以下の場合は３面以上が自由面になるため、折り方の例やメモ欄などを設けると便利である。
【００３８】
このように自由面を活用して、別の連続するｎ面を表示できるようにしても良く、例えば表６面を縦のパノラマ写真を表示し、裏６面を横のパノラマ写真を表示するなど、ｎ＝６を２組表示しても良い。先述のｎ＝１４のときの２枚の自由面を、ｎ＝２の連続面とし、ｎ＝１４と組み合わせて表示しても良い。さらに、ｎ＝２やｎ＝３を複数組、重合的に組み合わせて表示させても良い。したがって、上述の各実施形態の表示の態様は、一列（一行）に限定したが、本発明の表示の態様および折りたたみ方法は何ら限定されるものではない。
【符号の説明】
【００３９】
１  折りたたみ表示体（第１実施形態）
２  折線
３  切り込み部
４  切り込み止まり部
５  補強部
６  補強部材
７  折りたたみ表示体（第２実施形態）
８  パネル
９  折り曲げ部材
１０  自由面
【図１】
2019181695.tif 000003
【図２】
2019181695.tif 000004
【図３】
2019181695.tif 000005
【図４】
2019181695.tif 000006
【図５】
2019181695.tif 000007
【図６】
2019181695.tif 000008
【図７】
2019181695.tif 000009
【図８】
2019181695.tif 000010
【図９】
2019181695.tif 000011
【図１０】
2019181695.tif 000012
【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
図表、絵柄、写真、文字または記号等を、一続きに並べたｎ面（ｎは２以上とし、ｎ＝２のときは共通した面を有する複数を組み合わせることとする）で表現されうるときの、該ｎ面のうち、
折り方の違いにより、表示する面を替えられ、
少なくとも連続する２面が並び順に表示できる折りたたみ式表示体であって、
折線を介して４行２列に分割された８面で構成される１枚のシートからなり、
前記１枚のシートには、
表裏１６面のうち、ｎ面に、
各面が分担する図表、絵柄、写真、文字または記号等が施され、
１列目と２列目の境界線に、連続する３行分の切り込みが施されたことを特徴とする折りたたみ式表示体。  
【請求項２】
図表、絵柄、写真、文字または記号等を、一続きに並べたｎ面（ｎは２以上）で表現されうるときの、該ｎ面のうち、
少なくとも連続する２面が並び順に表示できる折りたたみ式表示体であって、
８枚のパネルと折り曲げ部材とからなり、
前記８枚のパネルには、
表裏１６面のうち、ｎ面に、
各面が分担する図表、絵柄、写真、文字または記号等が施され、
該８枚のパネルは４行２列に並べられ、
列方向に各４枚が折り曲げ部材を介して連結され、
１行目の２枚または４行目の２枚のいずれかが、折り曲げ部材を介して行方向に連結されたことを特徴とする折りたたみ式表示体。
【請求項３】
前記ｎ面が、１２面以上に設定され、
前記各面が分担する図表、絵柄、写真、文字または記号等が、１カ月毎のカレンダー表示であることを特徴とする請求項１または請求項２に記載の折りたたみ式表示体。
【手続補正書】
【提出日】平成30年8月6日(2018.8.6)
【手続補正１】
【補正対象書類名】明細書
【補正対象項目名】全文
【補正方法】変更
【補正の内容】
【発明の詳細な説明】
【技術分野】
【０００１】
本発明は、連続２面以上を並び順に表示するカレンダー等の折りたたみ式表示体に関する。
【背景技術】
【０００２】
年表、絵巻、パノラマ写真など、一続きに長い帯状の情報は、適当に分割して、かつ連続で見ることができると便利である。こうした類のもののなかで代表的なものがカレンダーであり、複数月を表示するカレンダーは根強く求められている。しかし、２カ月分や３ケ月分の暦を１枚に印刷して束ねたものでは、常には翌月や前月の暦を表示することはできない。それは１２ヶ月を分割して表示しているのであって、連続して表示しているわけではないからである。そこで、複数月が連続して表示できるカレンダーは、各種提案されている。
【０００３】
予め２、３カ月毎に表示したカレンダーシートを束ね、過ぎた月の分だけ切り取ることで後の月の表示が現れ、連続月分の表示を可能にした切り取り式のもの、月毎に表示したカードを順に専用の装置に取り付け、月が替わるたびに取り付け替えて複数月表示させるカード取り替え式のもの、帯状の長いカレンダー用紙を適宜折りたたんで複数月を表示させるものなどが代表的である。
【先行技術文献】
【特許文献】
【０００４】
【特許文献１】特開２００９−２９８１３１号公報
【特許文献２】特開２０１６−１２４１６９号公報
【発明の概要】
【発明が解決しようとする課題】
【０００５】
しかし、切り取り式は常に時系列に表示することができないという問題があった。例えば２カ月表示の場合、「１月＋２月」表示の次は「３月＋２月」表示となり、並び順が変わるため見づらさがあった。また、過ぎた月の分を切り取ってしまうため、保存に適しておらず、メモを加えていたりすると後で見直したくても見直せないという問題もあった。カード取り替え式は時系列に並べて表示することができるが、カードが束ねられていないため使用中に一部のカードを紛失する恐れがあり、また、使用後の保管も全カードを紛失しないよう注意を要する。折りたたみ式の特許文献１、２は、各月が時系列に表示可能であり、帯状に連なっているため紛失の恐れがなく、使用後の保管にも適しているが、特許文献１は長い帯状の用紙を要し、一月分の表示サイズの割には大きな用紙が必要であるため、製造面で効率が悪くコストアップに繋がる。特許文献２は１０枚以上のシートが帯状に連結されるため、各面や裏面を確認するにも視野に収まらず、長すぎて扱いづらい。
【０００６】
そこで本発明は、図表、絵柄、写真、文字または記号等を、一続きに並べたｎ面（ｎは２以上）で表現されうるときの、該ｎ面のうち、少なくとも連続する２面が並び順に表示でき、各面の紛失の恐れがなく、長い帯状のシートを要さず、連続面が効率的に表示できるカレンダー等の折りたたみ式表示体の提供を目的とする。
【課題を解決するための手段】
【０００７】
上記課題を解決するため、本発明の折りたたみ式表示体は、図表、絵柄、写真、文字または記号等を、一続きに並べたｎ面（ｎは２以上とし、ｎ＝２のときは共通した面を有する複数を組み合わせることとする）で表現されうるときの、ｎ面のうち、折り方の違いにより、表示する面を替えられ、少なくとも連続する２面が並び順に表示できる折りたたみ式表示体であって、折線を介して４行２列に分割された８面で構成される１枚のシートからなり、前記１枚のシートには、表裏１６面のうち、ｎ面に、各面が分担する図表、絵柄、写真、文字または記号等が施され、１列目と２列目の境界線に、連続する３行分の切り込みが施される。
【０００８】
連続２面以上を表示するのであるから、ｎの最小値は２であり、ｎ＝２のときは共通した面を有する複数を組み合わせることとする。
このような構成とすると、少なくとも連続する２面を並び順に表示することができ、各面が折線を介して繋がっているため紛失の恐れがない。折線の方向が行、列２種あるため、帯状の用紙を要さずとも、連続面を効率的に表示することができる。
【０００９】
また、本発明の折りたたみ式表示体は、図表、絵柄、写真、文字または記号等を、一続きに並べたｎ面（ｎは２以上）で表現されうるときの、ｎ面のうち、少なくとも連続する２面が並び順に表示できる折りたたみ式表示体であって、８枚のパネルと折り曲げ部材とからなり、８枚のパネルには、表裏１６面のうち、ｎ面に、各面が分担する図表、絵柄、写真、文字または記号等が施され、８枚のパネルは４行２列に並べられ、列方向に各４枚が折り曲げ部材を介して連結され、１行目の２枚または４行目の２枚のいずれかが、折り曲げ部材を介して行方向に連結される。
【００１０】
このような構成とすると、少なくとも連続する２面を同時かつ並び順に表示することができ、各パネルが折り曲げ部材を介して繋がっているため紛失の恐れがない。折り曲げ方向を行、列２種にすることで、帯状に形成せずとも、限られたパネル数で効率的に連続面を表示することができるうえ、折りたたみ前は視野に収まる形状になり、帯状に形成されたものより、各面の確認や扱いが容易になる。
【００１１】
好ましくは、ｎ面を１２面以上に設定し、各面を１カ月毎のカレンダー表示とする。
【００１２】
このような構成とすると、少なくとも連続する２カ月が並び順に表示できるカレンダーとなる。
【発明の効果】
【００１３】
本発明によれば、図表、絵柄、写真、文字または記号等を、一続きに並べたｎ面（ｎは２以上とし、ｎ＝２のときは共通した面を有する複数を組み合わせることとする）で表現されうるときの、該ｎ面のうち、折り方の違いにより、表示する面を替えられ、少なくとも連続する２面を並び順に表示することができる。各面が折線や折り曲げ部材を介して繋がっているため紛失の恐れがなく、メモ等記入しても後で確認することができる。折りたたみ式であるため、あらかじめ最小に折りたたんだ状態で運搬、陳列、保管ができ省スペースである。また、折線または折り曲げの方向が２種あるため、帯状の用紙を要さず、帯状に形成せずとも、限られた面およびパネルで効率的に連続面を表示できるうえ、折りたたみ前は視野に収まる形状になり、帯状のものより、各面の確認や扱いが容易になる。
連続する１２面以上のもので代表的なものはカレンダーであり、本発明は複数月を連続表示するカレンダー、スケジュール表への利用に特に効果を発揮する。
【図面の簡単な説明】
【００１４】
【図１】本発明の第１実施形態に係るｎが１２のときの、連続３面表示が可能なレイアウトを示した図である。
【図２】図１の折りたたみ順（前半）の例を示した図である。
【図３】図１の折りたたみ順（後半）の例を示した図である。
【図４】本発明の第２実施形態に係る表面及び裏面のレイアウトを示した図である。
【図５】本発明の第２実施形態に係るパネルと折り曲げ部材の連結例を示した図である。
【図６】本発明の第２実施形態に係るパネルと折り曲げ部材の連結例を示した図である。
【図７】本発明の第２実施形態に係るパネルの例を示した図である。
【図８】本発明の第１実施形態に係るｎが１４のときの、連続２面表示が可能なレイアウトを示した図である。
【図９】図８の折りたたみ順（前半）の例を示した図である。
【図１０】図８の折りたたみ順（後半）の例を示した図である。
【発明を実施するための形態】
【００１５】
この明細書での「列」、「行」の定義については、縦を列、横を行とするが、本発明の表示体をどの向きから見るか、見る人の主観によって縦、横は変わるため、「列」「行」を入れ替え可能とするものである。よって「列」と「行」を入れ替えても本発明に何ら支障はない。なお、一般にシート等の長手方向の向きで縦横を決めることがあるが、本明細書での「列」、「行」は、シート等の長手方向とは何ら関係しないものである。
以下、本発明の実施の形態について図面を参照して説明する。
【００１６】
本発明の第１実施形態に係る折りたたみ表示体１は、折線２を介して４行２列に分割された８面で構成される１枚のシートからなり、１枚のシートの表裏１６面のうち、ｎ面（ｎは２以上）に、各面が分担する図表、絵柄、写真、文字または記号等が施され、１列目と２列目の境界線に、連続する３行分の切り込み３が施される。
【００１７】
図１はｎを１２に設定し、少なくとも連続３面以上を並び順に表示させることができるレイアウト例であり、上から下へ連続表示させる例を示している。連続３面とは、図表、絵柄、写真、文字または記号等（以下図等）を、一続きに並べた１２面で表現されうるとき、１番目の面を１、２番目の面を２・・・とすると、「１、２、３」「２、３、４」「３、４、５」「４、５、６」「５、６、７」「６、７、８」「７、８、９」「８、９、１０」「９、１０、１１」「１０、１１、１２」の組み合わせのすべてを、括弧内の順番は変えずに、表示できるという意味であり、連続３面以上とはその組み合わせを含んでそれ以上の連続面も表示できるという意味である。したがって、連続３面以上表示可能であるということは、同じレイアウトで連続２面の表示が可能であるのは言うまでもなく、図１に示すレイアウト例は本発明の課題が解決していることを示す。この実施形態を図１の配置で各面を月毎のカレンダー表示とした場合、連続３カ月表示のカレンダーが得られる。
【００１８】
図１中の各面に記す数字は、図等が施された各面を順に並べたときの順番を示す番号であり、数字の向きは施されるべき図等の天地を示している。例えば１月から始まるカレンダーの場合、１は１月、２は２月、３は３月・・・の面が数字の向きどおりに配置される。
【００１９】
図１に示すとおり、切り込み部３は３行目と４行目の境界線が切り込み止まり４となるが、行、列の折線２が交差し、使用状態によっては傷みやすいため、この部位を補強部５とし、樹脂製シールなどの補強部材６を用いて補強するのが好ましい。
【００２０】
折線２は単純に折り目でも良いが、シートの材質、厚みにより、折り易くするためのミシン目を施しても良いし、点線拡大図のように複数の穴を設けても良い。このときの穴の数、大きさ形状は特に限定されない。また、折線は単線である必要はなく、山折り及び谷折りを考慮して、複数の折線を施しても良い。
【００２１】
表示の際には画鋲留め、マグネット留め、クリップ留め、テープ留めなど、使用者が通常の手段によって折りたたみ表示を実施すれば良いが、あらかじめ、シートの端部を挿し込んで留めるための切り欠きを設けたり、小さな磁石をつけるなど適宜端部を固定する手段を設けても良い。また、シートの端縁部や切り込み部などを装飾的な形状にしても本発明に含まれるものである。
【００２２】
図２及び図３は図１に示した第１実施形態に係る折りたたみ表示体１の折りたたみ順の例を示した図である。
Ａから始まり、Ｂ、Ｃ、Ｄ、Ｅ、Ｆ、Ｇの順で表示していく。少なくとも連続する３面（２面）が並び順に表示できるだけでなく、最大で連続する６面の表示（Ｃ）が可能である。常に３面（２面）のみ表示させたい場合は、表示したくない面を折りたたんで使用する。
【００２３】
図１、図２及び図３の第１実施形態に係る折りたたみ表示体１のシートの材質は、紙製または合成樹脂製が好ましいが、折りたたみが可能な材質であれば他の材質であっても構わない。シートの大きさは用途に応じて様々で良い。各面の大きさはそれぞれ略同じ大きさであるが、折りたたみにより生ずるズレ等の誤差を考慮してサイズ設定しても良い。
【００２４】
図２Ｃが示すように、本発明はその構造により、最大で連続する６面の表示が可能になるため、パノラマ表示や、絵巻、屏風絵、絵本、年表、スケジュール表等の表示に適している。
【００２５】
製造面では、出来上がりのサイズから換算して帯状のものより３分の２の長さのシートで製造可能であり、本発明の形状から、該シートは規格サイズにそのまま従っても、各面のサイズが適当に得られ、無駄がないため、極めて容易かつ効率的に安価に製造し得る。これにより、少量でもサイズ、種類が豊富に製造でき、オーダーメイド化も容易である。
さらに図２及び図３が示すように、次に続く面を出現させるのに、使用者にはパズルを解くような楽しみをもたらす。この効果により、パズルや迷路などに利用可能となる。
【００２６】
図４は本発明の第２実施形態に係る表面及び裏面を示した図である。
本発明の第２実施形態にかかる折りたたみ表示体７は、８枚のパネル８と折り曲げ部材９とからなり、８枚のパネル８の表裏１６面のうち、ｎ面（ｎは２以上）に、各面が分担する図表、絵柄、写真、文字または記号等が施され、８枚のパネル８は４行２列に並べられ、列方向に各４枚が折り曲げ部材９を介して連結され、１行目の２枚または４行目の２枚のいずれかが、折り曲げ部材９を介して行方向に連結される。
【００２７】
図４は、ｎを１２に設定し、連続３面（２面）以上を同時に連続表示させることができるレイアウトの例であり、図に向かって右から左へ連続表示させる例を示している。
折り曲げ部材を介することで、折り曲げが確実になり、これによりパネル部材の選択の幅が広がる。
パネル８は、紙、合成樹脂、木、金属、ゴム、布等薄い平面状であって、図等が表示できるものであれば特に限定されず、薄型電子表示板とすることも可能である。１枚のパネル８の大きさは特に限定されないが、厚紙以上の厚さと硬さのパネルであれば、屏風状や角柱状にして、自立表示も可能である。
【００２８】
折り曲げ部材９は、紙、合成樹脂シート及びテープ、紐、糸、布、プラスチック及び金属リング、ヒンジなど、折り曲げを容易にするものであれば、その形状、材質、大きさは特に限定されない。
【００２９】
図５、図６は本発明の第２実施形態に係るパネルと折り曲げ部材の連結例を示した図である。
パネル８と折り曲げ部材９の連結方法は、折り曲げ可能に連結されていればよく、特に限定されない。
図５のように、２枚１組で１枚のパネル８とし、折り曲げ可能な折り曲げ部材９を２枚の間に挟み込んで貼り合わせ、成形しても良い。
【００３０】
図６上図のようにシート状の折り曲げ部材にパネルを貼り付けて成形しても良いし、図６下図のようにシート状の折り曲げ部材の表裏にパネルを交互に貼り付けて成形しても良い。さらに、シート状の折り曲げ部材にポケットを設け、８枚のパネルを挿入して形成しても良い（図は省略）。いずれの場合も折り曲げ部材に図等を施してパネルと一体化するか、折り曲げ部材の少なくともパネル部を透明にすると良く、本発明に含まれるものである。
【００３１】
図７は、本発明の第２実施形態に係る表面及び裏面を示した図である。折り曲げ部材９を介することで、折り曲げが確実になるため、各パネル８の大きさや形は４行２列に並べられる程度に揃っていればよく、デザインの自由度を向上させることができる。図７のように、夫々個性的な形状のパネルにし、折りたたみ方を考える玩具としても有用である。また、パネルと折り曲げ材を脱着可能にして、パネルの配置を変えられるようにしても本発明に含まれるものである。
【００３２】
図８は本発明の第１実施形態に係るｎが１４のときの、連続２面表示が可能なレイアウトを示した図である。
左から右へ連続表示させるレイアウトであり、図９及び図１０は図８の折りたたみ順の例を示した図である。Ｈから始まり、Ｉ、Ｊ、Ｋ、Ｌ、Ｍ、Ｎの順で表示していく。連続２面表示とは、前述と同様、「１、２」「２、３」「３、４」「４、５」「５、６」「６、７」「７、８」「８、９」「９、１０」「１０、１１」「１１、１２」「１２、１３」「１３、１４」の面の組み合わせのすべてを、括弧内の順番は変えずに、表示できるという意味であり、連続２面以上とはその組み合わせを含んでそれ以上の連続面も表示できるという意味である。
【００３３】
図８によると、全ての連続する２面以上が同時に表示可能であって、しかも図１０（Ｎ）に示すとおり、「１４、１」も表示できる。
つまり、本発明は、最終面と最初の面を並び順に表示することも可能である。具体的には、連続２面以上を同時に表示する場合であって、ｎが２以上１６以下の偶数の場合、環状に表示できる。例えば卵から鶏への成長図や、季節の移り変わりなど環状に連続するものの表示に利用できる。
【００３４】
本発明の表示体は、各面及び各パネルのレイアウトにより、左から右、右から左、上から下、下から上へ、のいずれの方向へ表示することも可能である。また図１、図４、図７及び図８に示した各面及び各パネルのレイアウトは一例を示したに過ぎず、これ以外のレイアウトであっても、本発明に含まれるものである。
【００３５】
図８に示す実施形態では、表裏１６面のうち１４面に図等が施されるが、残り２面が自由面１０になるため、これを表紙と裏表紙などに充てることができる。これらを設けると、持ち歩きや使用後の保管に便利である。また、ｎが１３以下の場合は３面以上が自由面になるため、折り方の例やメモ欄などを設けると便利である。
【００３６】
このように自由面を活用して、別の連続するｎ面を表示できるようにしても良く、例えば表６面を縦のパノラマ写真を表示し、裏６面を横のパノラマ写真を表示するなど、ｎ＝６を２組表示しても良い。先述のｎ＝１４のときの２枚の自由面を、ｎ＝２の連続面とし、ｎ＝１４と組み合わせて表示しても良い。さらに、ｎ＝２やｎ＝３を複数組、重合的に組み合わせて表示させても良い。したがって、上述の各実施形態の表示の態様は、一列（一行）に限定したが、本発明の表示の態様および折りたたみ方法は何ら限定されるものではない。
【符号の説明】
【００３７】
１  折りたたみ表示体（第１実施形態）
２  折線
３  切り込み部
４  切り込み止まり部
５  補強部
６  補強部材
７  折りたたみ表示体（第２実施形態）
８  パネル
９  折り曲げ部材
１０  自由面